(57)【要約】【課題】花袋において、鮮度保持剤などの付属品を同梱しやすくする。【解決手段】  上広がり状に成形された２枚の袋本体フィルムの左右端辺をそれぞれ接合し、上端の開口部から切花を挿入するように構成された袋本体の外面には、前記袋本体フィルムより上下方向の幅が狭い小フィルムを接合してポケット部が形成されている。【選択図】図１
0003105603.tif 000002
【実用新案登録請求の範囲】
【請求項１】
上広がり状に成形された２枚の袋本体フィルム（２ａ、２ｂ）の左右端辺をそれぞれ接合し、上端の開口部（１０ａ）から切花（５）を挿入するように構成された袋本体（２）の外面には、前記袋本体フィルム（２ａ、２ｂ）より上下方向の幅が狭い小フィルムを接合してポケット部（３）が形成されていることを特徴とする花袋。
【請求項２】
前記ポケット部（３）は、袋本体（２）の左右端辺に沿って設けられる端辺シール部（４ａ、４ｂ）と、左右の端辺シール部（４ａ、４ｂ）の間を橋桁状に結ぶ底辺シール部（６）によって袋本体フィルムに接合されていることを特徴とする請求項１に記載の花袋。
【請求項３】
前記ポケット部（３）は、前記底辺シール部（６）が左右端辺シール部（４ａ、４ｂ）の上下方向中途部に位置しており、前記底辺シール部（６）を挟んで上方と下方にそれぞれ開口する収納室（７ａ、７ｂ）が形成されていることを特徴とする請求項２に記載の花袋。
【請求項４】
前記ポケット部（３）の端辺シール部（４ａ、４ｂ）が、袋本体フィルム（２ａ、２ｂ）の左右端辺シール部（４ａ、４ｂ）と共に同時接合されていることを特徴とする請求項２または３に記載の花袋。
【請求項５】
前記ポケット部（３）の開口部に、ポケット部（３）と袋本体（２）とを粘着する粘着部（８）が形成されていることを特徴とする請求項１〜４のいずれかに記載の花袋。
【請求項６】
前記粘着部（８）に、収納室の開口部が視認できるように、袋本体フィルムと色が異なる剥離紙（１２）が設けられていることを特徴とする請求項５に記載の花袋。
【考案の詳細な説明】
【技術分野】
【０００１】
本考案は、切花や花束などを包装したり、持ち運んだりするのに用いられる花袋に関するものである。
【背景技術】
【０００２】
この種の従来技術としては、特許文献１に示すように、合成樹脂製の２枚のシートを上広がり状に貼り合わせ、上端の開口部から花を入れる構造を有する花袋が知られている。
【特許文献１】特開平１１−９１８４６号公報
【考案の開示】
【考案が解決しようとする課題】
【０００３】
近年、花屋では切花や花束のみでなく、サービスとして花の種、クリスマスカードまたは鮮度保持剤などの付属品を同梱することが多く、生花にこれらの付属品を付けて売り出すことが多くなっている。前記特許文献１の花袋では、切花を収納するには適しているものの、前記付属品を収納できる構造になっておらず、付属品をテープなどで貼り付けるなどして、付属品の同梱に手間がかかっていた。
本考案は、このような問題点を解決し得るポケット付き花袋を提供することを目的とする。
【０００４】
本考案は、袋本体フィルムにポケットを設け、鮮度保持剤等の付属品を収納することができる花袋を提供することを目的とする。
【課題を解決するための手段】
【０００５】
前記目的を達成するため、本考案は次の手段を講じた。
即ち、上広がり状に成形された２枚の袋本体フィルムの左右端辺をそれぞれ接合し、上端の開口部から切花を挿入するように構成された袋本体の外面には、前記袋本体フィルムより上下方向の幅が狭い小フィルムを接合してポケット部が形成されている。
これによって、鮮度保持剤等の付属品を収納することができる。
前記ポケット部は、袋本体の左右端辺に沿って設けられる端辺シール部と、左右の端辺シール部の間を橋桁状に結ぶ底辺シール部によって袋本体フィルムに接合されている。
【０００６】
これによって、小フィルムからポケット部を容易に形成することができる。
前記ポケット部は、前記底辺シール部が左右端辺シール部の上下方向中途部に位置しており、前記底辺シール部を挟んで上方と下方にそれぞれ開口する収納室が形成されている。
これによって、底辺シール部を１カ所設けるだけで、上方と下方のそれぞれに開口する２つの収納室を形成できる。
前記ポケット部の端辺シール部が、袋本体フィルムの左右端辺シール部と共に同時接合されている。
【０００７】
これによって、ポケット部の左右端辺を接合する手間を省くことができ、ポケット部を形成するのに必要な製造コストを低く抑えられる。
前記ポケット部の開口部に、ポケット部と袋本体とを粘着する粘着部が形成されている。
これによって、開口部を下方に逆さまに向けて花袋を持っても付属品が落下するのを防止できる。
前記粘着部に、収納室の開口部が視認できるように、袋本体フィルムと色が異なる剥離紙が設けられている。
【０００８】
これによって、収納室の開口部が視認しやすくなる。
【考案の効果】
【０００９】
本考案により、鮮度保持剤等の付属品を収納することができる。
【考案を実施するための最良の形態】
【００１０】
以下、本考案の実施の形態を図面に基づき説明する。
本考案の第１実施形態の花袋１は、図１及び図２に示すように、上広がり形状の袋本体フィルム２ａおよび袋本体フィルム２ｂを重ね合わせ、それぞれの左右端辺を互いに接合した漏斗形状の袋本体２と、この袋本体２の外面に設けられたポケット部３とから構成されている。
前記袋本体２は、上端に広く開口した開口部１０ａが形成されており、この開口部１０ａより開口面積の小さい開口部１０ｂが下端に形成されている。広く開口した開口部１０ａを設けることで、この開口部１０ａから切花５を挿入しやすくなっており、小さい開口部１０ｂを設けることで、花袋１に切花５を入れてバケツなどの水につけて保存できるようになっている。
【００１１】
前記袋本体フィルム２ａおよび袋本体フィルム２ｂは、ポリプロピレンやポリエチレンなどのポリオレフィン系樹脂、ポリエステル樹脂またはポリエチレンテレフタレート樹脂などの透明な合成樹脂製のフィルムで構成される。透明な合成樹脂を用いることで、包装される切花５が袋本体フィルム２ａおよび２ｂを通して外から確認でき、装飾性や意匠性を高めることができる。また、フィルム表面に印刷を施したり、フィルム材料に染料を添加して着色したり、フィルムの所々に穿孔して通気性を高めても良い。
前記ポケット部３は、袋本体２の左右端辺に沿って設けられる端辺シール部４ａ、４ｂと、左の端辺シール部４ａの上下方向中途部と右の端辺シール部４ｂの上下方向中途部との間を橋桁状に結ぶ底辺シール部６によって袋本体フィルム２ａの外面に接合されており、外観視で端辺シール４と底辺シール部６が略Ｈ字形状になるように接合されている。袋本体２の左右端辺に沿って端辺シール部４ａ、４ｂを設けることで、ポケット部３の左右端辺を袋本体２の左右端辺の接合に合わせて同時に接合することができ、接合の手間を省くことでポケット部３を形成するのに必要な製造コストを低く抑えることができる。
【００１２】
前記ポケット部３は、上方に向かって開口する収納室７ａと下方に向かって開口する収納室７ｂを有しており、収納室７ａと収納室７ｂが底辺シール部６に線対称になるように設けられている。上方と下方のそれぞれに開口する収納室７を設けることで、鮮度保持剤等の付属品１１の重さや花袋１の使用形態に合わせて花袋１を使用することができ、花袋
１の利便性が向上する。
即ち、花袋１を上方に向けて持ち運ぶか、下方に逆さまに向けて持ち運ぶかという花袋１の使用形態が定まっている場合、常に上方に開口するいずれかの収納室７に付属品１１を入れることができ、付属品１１の不意の落下を防ぐことができる。また、上方の収納室７に鮮度保持剤などを入れ、下方の収納室７にカードなどを入れてステイプラーなどで留めれば、それぞれ付属品１１の重さに合った収納をすることができ、花袋１の利便性を向上させることができる。
【００１３】
前記ポケット部３に用いられるポケット用フィルムは、上辺が長い台形状であり、前記袋本体フィルム２ａおよび２ｂと同一素材の透明な合成樹脂製のフィルムであるのが好ましい。同一素材である方が接合する条件を固定して加工できるからである。ただし、ポケット部３を袋本体２と異なる色彩や光沢を有するように、それぞれ異なった合成樹脂を材料としたり、着色を施したり、または光沢などを変えるために異なった表面処理を行うこともできる。
前記収納室７ａと収納室７ｂの開口部には、粘着部８ａと粘着部８ｂが設けられている。粘着部８ａおよび８ｂには粘着剤９が塗布してあり、開口部が下方に対向するように花袋１を持っても付属品１１が落下しないように、開口部を閉じて付属品１１を収納できるようになっている。これによって、開口部を下方に逆さまに向けて花袋１を持っても付属品１１が落下することがなくなる。
【００１４】
前記粘着剤９は、テルペン系樹脂、テルペン系重合剤、スチレン系樹脂、ロジン及びロジン誘導体、ポリアクリル酸系またはレジン系樹脂などをコートしたものであり、未使用状態の花袋１の粘着力の低下を防ぐため、帯状の剥離紙１２が貼着されている。この剥離紙１２または粘着部８は袋本体２またはポケット部３と異なる色に着色されている。これによって、収納室７の開口部が視認しやすくなり、付属物１１を入れる際に便利になる。
本考案の第２実施形態は、図３に示すように、ポケット部３の左の端辺シール部４ａと右の端辺シール部４ｂの下端部を互いに結ぶように底辺シール部６が形成されている。第１実施形態の花袋１に比べて、上方に開口した収納室７ａのみで形成されており、大容量の付属品１１を収納できる。
【００１５】
本考案は前記実施形態における各部材の形状およびそれぞれの前後・左右・上下の位置関係は、図１〜３に示すように構成することが最良である。しかし、前記実施形態に限定されるものではなく、部材、構成を種々変形したり、組み合わせを変更したりすることもできる。
前記袋本体フィルム２ａ、袋本体フィルム２ｂおよびポケット用フィルムは同一の素材である方が良いが、それぞれ異なった材料で構成されていても良い。また、それぞれ異なる着色にしたり、異なる表面処理により光沢などがそれぞれ異なるようにしてあっても良い。
【００１６】
前記袋本体フィルム２ａと袋本体フィルム２ｂとの端辺４の接合およびポケット部３の底辺シール部６の袋本体２への接合は、ヒートシールで行うのが好ましいが、接着剤などで行っても良い。
前記袋本体２は、上広がり形状でない、例えば方形状に成形されていても良い。
前記ポケット部３は、前記実施形態では上下に開口していたが、水平方向に開口部を設
けても良く、ポケット部３と接触する袋本体フィルムに通気口などを設けて、ポケット部３の空気が袋本体２内と通気可能になるようにしても良い。
【００１７】
前記粘着部８は、粘着剤９によって開口部を開閉するものに限られず、例えば布ジッパーなどで開閉するものでも良い。また、粘着部８はポケット用フィルムに設ける場合に限定されるわけではなく、袋本体フィルムに設けても良い。
前記粘着剤９は、透明でなくても良く、剥離紙１２と同様に着色されていたり、袋本体フィルムと異なる色や光沢を有する材質を用いて、収納室７の開口部の視認性を向上させる構成とされていても良い。
【図面の簡単な説明】
【００１８】
【図１】本発明の第１実施形態の花袋の正面図である。
【図２】図１のＢ−Ｂ断面図である。
【図３】第２実施形態の花袋の正面図である。
【符号の説明】
【００１９】
１    花袋
２    袋本体
２ａ  袋本体フィルム（上側）
２ｂ  袋本体フィルム（下側）
３    ポケット部
４ａ  端辺シール部（右側）
４ｂ  端辺シール部（左側）
５    切花
６    底辺シール部
７    収納室
７ａ  収納室（上側）
７ｂ  収納室（下側）
８    粘着部
８ａ  粘着部（上側）
８ｂ  粘着部（下側）
９    粘着剤
１０ａ開口部（上側）
１０ｂ開口部（下側）
【図１】
0003105603.tif 000003
【図２】
0003105603.tif 000004
【図３】
0003105603.tif 000005